(57)【要約】【課題】下地ボードを精度良く切断、固定しなくても、内壁の出隅部を綺麗に仕上げることができるコーナー部材を提供する。【解決手段】コーナー部材１０は、略９０度の角度をなすように相互に連設された、厚さ１．０ｍｍ程度の一対の張出片１１、１１と、この張出片１１、１１によって形成される角部を補強するために、各張出片１１、１１の基端部側から、相互に対向するように、斜めに張り出した補強用のリブ１２、１２とを備えており、内壁の出隅部１に柔らかい印象を与えるために、角部には丸みを持たせてある。下地ボード２１、２１の端部側を相互に離反させた状態で柱２２に固定し、各下地ボード２１、２１における柱２２側の端部表面にコーナー部材１０の張出片１１、１１を固着した状態で、下地ボード２１、２１及びコーナー部材１０の表面にクロス等の壁仕上材２３を貼着することで、内壁の出隅部を形成するようになっている。【選択図】        図４
2011226245.tif 000002
【特許請求の範囲】
【請求項１】
内壁を構成している壁下地材における出隅部に取り付けるコーナー部材であって、
略９０度の角度をなすように相互に連設された一対の張出片と、
一方の前記張出片と他方の前記張出片とによって形成される角部の内面側に設けられた補強用のリブとを備え、
一対の前記張出片を、前記壁下地材を構成している下地ボードに固着するようになっていることを特徴とするコーナー部材。
【請求項２】
前記リブは、一方の前記張出片の張出方向については、他方の前記張出片から、その張出片を固着する前記下地ボードの厚み分までの領域内で、かつ、他方の前記張出片の張出方向については、一方の前記張出片から、その張出片を固着する前記下地ボードの厚み分までの領域内に設けられている請求項１に記載のコーナー部材。
【請求項３】
前記角部が円弧状に面取りされている請求項１または２に記載のコーナー部材。
【発明の詳細な説明】
【技術分野】
【０００１】
この発明は、内壁を構成している壁下地材における出隅部に取り付けるコーナー部材に関する。
【背景技術】
【０００２】
内壁の出隅部を施工する場合は、図９に示すように、まず、石膏ボード等からなる下地ボード５１ａを、その端面を柱５２の角に合わせた状態で、柱５２の一面に固定した後、別の下地ボード５１ｂを、その端面が先にビス止めした下地ボード５１ａの表面と面一になるように、柱５２の隣接する他面に固定し、クロス等の壁仕上材５３を下地ボード５１ａ、５１ｂに貼着することになる。
【先行技術文献】
【特許文献】
【０００３】
【特許文献１】実用新案登録第３０４６１７６号公報
【発明の概要】
【発明が解決しようとする課題】
【０００４】
しかしながら、上述したような出隅部の構造では、壁下地の角部を形成している下地ボード５１ａの表面と下地ボード５１ｂの端面とを面一に仕上げようとしても、図１０に示すように、石膏ボード等の切断誤差や下地ボード５１ｂの取付誤差等により、後で固定した下地ボード５１ｂの端面が先に固定した下地ボード５１ａの表面から突出して、段部が生じてしまうことがあり、そのような場合は、下地ボード５１ｂの突出部分を削り取るといった面倒な作業を行わなければならないという問題がある。
【０００５】
そこで、この発明の課題は、下地ボードを精度良く切断、固定しなくても、内壁の出隅部を綺麗に仕上げることができるコーナー部材を提供することにある。
【課題を解決するための手段】
【０００６】
上記の課題を解決するため、請求項１に係る発明は、内壁を構成している壁下地材における出隅部に取り付けるコーナー部材であって、略９０度の角度をなすように相互に連設された一対の張出片と、一方の前記張出片と他方の前記張出片とによって形成される角部の内面側に設けられた補強用のリブとを備え、一対の前記張出片を、前記壁下地材を構成している下地ボードに固着するようになっていることを特徴とするコーナー部材を提供するものである。
【０００７】
また、請求項２に係る発明は、請求項１に係る発明のコーナー部材において、前記リブは、一方の前記張出片の張出方向については、他方の前記張出片から、その張出片を固着する前記下地ボードの厚み分までの領域内で、かつ、他方の前記張出片の張出方向については、一方の前記張出片から、その張出片を固着する前記下地ボードの厚み分までの領域内に設けられていることを特徴としている。
【０００８】
また、請求項３に係る発明は、請求項１または２に係る発明のコーナー部材において、前記角部が円弧状に面取りされていることを特徴としている。
【発明の効果】
【０００９】
以上のように、請求項１に係る発明のコーナー部材は、一対の張出片によって形成される角部の内面側に補強用のリブが設けられているので、柱に固定する下地ボードによって角部を形成する必要がなく、下地ボードを柱に固定する際、双方の下地ボードの端部がコーナー部材の補強部に当接しないように、適当に離反させておけばよいので、施工性がよく、効率よく短時間で内壁の出隅部を綺麗に仕上げることができる。
【００１０】
また、請求項２に係る発明のコーナー部材では、一方の張出片の張出方向については、他方の張出片から、その張出片を固着する下地ボードの厚み分までの領域内で、かつ、他方の張出片の張出方向については、一方の張出片から、その張出片を固着する下地ボードの厚み分までの領域内に補部用のリブが設けられているので、コーナー部材を取り付ける際、補強部が障害になることがなく、コーナー部材を適正な位置に確実に取り付けることができる。
【００１１】
また、請求項３に係る発明のコーナー部材では、その角部が円弧状に面取りされているので、内壁の出隅部に柔らかい印象を与えるために、その出隅部に丸みを持たせる場合であっても、工数を増やすことなく、簡単に施工することができる。
【図面の簡単な説明】
【００１２】
【図１】この発明に係るコーナー部材の一実施形態を使用した内壁の出隅部を示す横断面図である。
【図２】（ａ）は同上のコーナー部材を外側から視た部分斜視図、（ｂ）は同上のコーナー部材を内側から視た部分斜視図、（ｃ）は同上のコーナー部材を示す端面図である。
【図３】（ａ）、（ｂ）は同上の内壁の出隅部の施工方法を示す工程図である。
【図４】（ａ）、（ｂ）は同上の内壁の出隅部の施工方法を示す工程図である。
【図５】（ａ）〜（ｃ）はコーナー部材の変形例を示す端面図である。
【図６】（ａ）〜（ｄ）はコーナー部材の変形例を示す端面図である。
【図７】（ａ）〜（ｃ）はコーナー部材の変形例を示す端面図である。
【図８】（ａ）、（ｂ）はコーナー部材の変形例を示す端面図である。
【図９】従来の内壁の出隅部を示す横断面図である。
【図１０】従来の内壁の出隅部の問題点を示す横断面図である。
【発明を実施するための形態】
【００１３】
以下、実施の形態について図面を参照して説明する。図１は、この発明のコーナー部材１０を使用した内壁の出隅部１を示している。この出隅部１は、同図に示すように、石膏ボード等からなる下地ボード２１、２１が、柱２２の隣接する２面にそれぞれ固定されており、各下地ボード２１、２１における柱２２側の端部表面にコーナー部材１０を固着した状態で、クロス等の壁仕上材２３が下地ボード２１、２１及びコーナー部材１０の表面に貼着されている。
【００１４】
前記コーナー部材１０は、図２（ａ）〜（ｃ）に示すように、略９０度の角度をなすように相互に連設された、厚さ１．０ｍｍ程度の一対の張出片１１、１１と、この張出片１１、１１によって形成される角部を補強するために、各張出片１１、１１の基端部側から、相互に対向するように、斜めに張り出した補強用のリブ１２、１２とを備えており、内壁の出隅部１に柔らかい印象を与えるために、角部を円弧状に面取りすることによって、角部に丸みを持たせてある。なお、張出片１１、１１の先端側は、その厚みが０．１〜０．６ｍｍ程度の薄肉状に形成されている。
【００１５】
前記張出片１１、１１は、２０ｍｍ以上の張出長さを有しており、リブ１２の連設部よりも先端側には、その外面に、パテや壁仕上材（クロス）２３の接着強度を高めるために、長手方向に延びる多数の凹条１１ａが形成されていると共に、その内面に両面粘着テープ（図示せず）が予め貼着されている。
【００１６】
前記リブ１２、１２は、図１に示すように、一方の張出片１１の張出方向については、他方の張出片１１から、その張出片１１を固着する下地ボード２１の厚み分までの領域内で、かつ、他方の張出片１１の張出方向については、一方の張出片１１から、その張出片１１を固着する下地ボード２１の厚み分までの領域内に設けられている。
【００１７】
以下、この内壁の出隅部１の施工方法について説明する。まず、図３（ａ）に示すように、柱２２の隣接する２面に下地ボード２１、２１をそれぞれ固定することで、壁下地を形成した後、同図（ｂ）に示すように、一対の張出片１１、１１の内面側を下地ボード２１の端部表面に両面テープ（図示せず）によって貼着することで、コーナー部材１０を取り付ける。なお、柱２２に下地ボード２１、２１を固定する際は、コーナー部材１０のリブ１２、１２に当接しないように、下地ボード２１、２１の端部側を相互に離反させた状態で固定する。
【００１８】
続いて、図４（ａ）に示すように、コーナー部材１０の一対の張出片１１、１１と下地ボード２１、２１の表面との間に生じた僅かな段差部分をパテＰによって埋めることで、下地慣らしを行った後、同図（ｂ）に示すように、クロス等の壁仕上材２３を下地ボード２１、２１及びコーナー部材１０の表面に貼着すると、内壁の出隅部１が出来上がる。
【００１９】
以上のように、このコーナー部材１０は、一対の張出片１１、１１によって形成される角部の内面側に補強用のリブ１２、１２が設けられているので、柱２２に固定する下地ボード２１、２１によって壁下地の角部を形成する必要がなく、下地ボード２１、２１を柱２２に固定する際、双方の下地ボード２１、２１の端部がコーナー部材１０のリブ１２、１２に当接しないように、適当に離反させておけばよいので、施工性がよく、効率よく短時間で内壁の出隅部１を綺麗に仕上げることができる。
【００２０】
また、このコーナー部材１０では、一方の張出片１１の張出方向については、他方の張出片１１から、その張出片１１を貼着する下地ボード２１の厚み分までの領域内で、かつ、他方の張出片１１の張出方向については、一方の張出片１１から、その張出片１１を貼着する下地ボード２１の厚み分までの領域内に補強用のリブ１２、１２が設けられているので、コーナー部材１０を取り付ける際、リブ１２、１２が障害になることがなく、コーナー部材１０を適正な位置に確実に取り付けることができる。
【００２１】
また、このコーナー部材１０では、角部を円弧状に面取りすることによって、角部に丸みを持たせているので、内壁の出隅部１に柔らかい印象を与えるために、その出隅部１に丸みを持たせる場合であっても、工数を増やすことなく、簡単に施工することができる。
【００２２】
なお、上述した実施形態では、補強用のリブ１２、１２が各張出片１１、１１の基端部側から斜めに張り出したコーナー部材１０を使用しているが、これに限定されるものではなく、例えば、図５（ａ）、（ｂ）に示すコーナー部材１０Ａ、１０Ｂのように、ループ状のリブ１２ａ、１２ｂを採用してもよく、同図（ｃ）に示すコーナー部材１０Ｃのように、リブ１２ａと共に、角部とリブ１２ａとを連結するリブ１２ｃを設けてもよい。
【００２３】
また、図６（ａ）、（ｂ）に示すコーナー部材１０Ｄ、１０Ｅのように、それぞれの角部から４５度の角度で突出するリブ１２ｄ、１２ｅを採用してもよく、同図（ｃ）に示すコーナー部材１０Ｆのように、一対の張出片１１、１１を連結する鉤型のリブ１２ｆや、同図（ｄ）に示すコーナー部材１０Ｇのように、このリブ１２ｆと共に、角部とリブ１２ｆとを連結するリブ１２ｇを設けてもよい。
【００２４】
また、図７（ａ）〜（ｃ）に示すコーナー部材１０Ｈ、１０Ｉ、１０Ｊのように、角部を肉厚にすることによって補強用のリブ１２ｈ、１２ｉ、１２ｊを形成しておくと、これらのコーナー部材１０Ｈ、１０Ｉ、１０Ｊによって形成される出隅部の強度がさらに向上し、損傷を受けたり、変形したりしにくくなる。
【００２５】
また、図８（ａ）に示すコーナー部材１０Ｋのように、上述したコーナー部材１０Ｆの鉤型のリブ１２ｆの先端角部を面取りしたような形状のリブ１２ｋを採用してもよく、例えば、同図（ｂ）に示すコーナー部材１０Ｋａのように、コーナー部材１０Ａ〜１０Ｊについても、長手方向に延びる多数の凹条１１ａを外表面の全面に形成しておくと、パテや壁仕上材（クロス）２３の接着強度をさらに高めることができる。
【００２６】
ただし、リブ１２ａ〜１２ｋについても、上述したリブ１２の場合と同様に、一方の張出片１１の張出方向については、他方の張出片１１から、その張出片１１を固着する下地ボード２１の厚み分までの領域内で、かつ、他方の張出片１１の張出方向については、一方の張出片１１から、その張出片１１を固着する下地ボード２１の厚み分までの領域内に設けておかなければならないことは言うまでもない。
【００２７】
また、上述した各実施形態では、一対の張出片１１、１１によって形成される角部を円弧状に面取りすることによって、角部に丸みを持たせているが、これに限定されるものではなく、内壁の出隅部に丸みを持たせたくない場合は、一対の張出片１１、１１によって形成される角部を尖らせておいてもよいことはいうまでもない。
【産業上の利用可能性】
【００２８】
本発明のコーナー部材は、内壁の出隅部を施工する際に利用することができる。
【符号の説明】
【００２９】
１  内壁の出隅部
１０、１０Ａ、１０Ｂ、１０Ｃ、１０Ｄ、１０Ｅ  コーナー部材
１０Ｆ、１０Ｇ、１０Ｈ、１０Ｉ、１０Ｊ、１０Ｋ、１０Ｋａ  コーナー部材
１１  張出片
１１ａ  凹条
１２、１２ａ、１２ｂ、１２ｃ、１２ｄ、１２ｅ  リブ
１２ｆ、１２ｇ、１２ｈ、１２ｉ、１２ｊ、１２ｋ  リブ
２１  下地ボード
２２  柱
２３  壁仕上材
Ｐ  パテ
【図１】
2011226245.tif 000003
【図２】
2011226245.tif 000004
【図３】
2011226245.tif 000005
【図４】
2011226245.tif 000006
【図５】
2011226245.tif 000007
【図６】
2011226245.tif 000008
【図７】
2011226245.tif 000009
【図８】
2011226245.tif 000010
【図９】
2011226245.tif 000011
【図１０】
2011226245.tif 000012